(57)【要約】      （修正有）【課題】  演奏曲データに付加された伴奏スタイルデータを別の曲に簡単に使用することが可能となる伴奏情報設定装置及び伴奏情報設定方法を実現するプログラムを提供する。【解決手段】  再生モードに入り、ユーザが選曲すると、選曲された演奏曲データが外部記憶装置から読み出され、その後、ユーザが再生を指示すると、まず、現在使用可能状態の伴奏スタイルデータが使用不可能状態にされ、次に、選曲された演奏曲データに伴奏スタイル情報が付加されていれば、その伴奏スタイル情報が抽出され、さらに、伴奏スタイルデータが当該装置で使用可能であれば、この伴奏スタイルデータが使用可能状態に設定される。そして、この伴奏スタイルデータの使用可能状態は、モードが曲作成モードに切り替えられても、そのまま保持され、新たに伴奏スタイルが選択されたときに初めて、選択された伴奏スタイルに対応する伴奏スタイルデータが使用可能状態に設定される。【選択図】    図２
2005274589.tif 000002
【特許請求の範囲】
【請求項１】
供給された演奏曲データに伴奏スタイル情報が付加されている場合に、該伴奏スタイル情報を抽出する抽出手段と、
該抽出手段によって抽出された伴奏スタイル情報が示す伴奏スタイルデータを使用可能状態に設定する設定手段と、
伴奏スタイル情報を選択する選択手段と
を有し、
前記設定手段によって使用可能状態に設定された伴奏スタイルデータの状態は、前記選択手段によって、該伴奏スタイルデータと異なる伴奏スタイルデータの伴奏スタイル情報が選択されるまで保持される
ことを特徴とする伴奏情報設定装置。
【請求項２】
供給された演奏曲データを再生する再生モードと、演奏曲データを作成する曲作成モードとを切り替える切替手段と、
該切替手段によって再生モードに切り替えられ、前記供給された演奏曲データに伴奏スタイル情報が付加されている場合に、該伴奏スタイル情報を抽出する抽出手段と、
前記切替手段によって、再生モードから曲作成モードに切り替えられたときに、再生モード時に前記抽出手段によって抽出された伴奏スタイル情報が示す伴奏スタイルデータを使用可能状態に設定する設定手段と
を有することを特徴とする伴奏情報設定装置。
【請求項３】
前記抽出手段によって抽出された伴奏スタイル情報が示す伴奏スタイルデータが当該伴奏情報設定装置で使用可能かどうかを判別する判別手段と、
該判別手段によって、前記伴奏スタイルデータが使用不可能と判別されたときに、該伴奏スタイルデータに代替可能な伴奏スタイルデータであって、当該伴奏情報設定装置で使用可能な伴奏スタイルデータを示す代替伴奏スタイル情報を検出する検出手段と
をさらに有し、
前記設定手段は、前記検出手段によって検出された代替伴奏スタイル情報が示す伴奏スタイルデータを使用可能状態に設定する
ことを特徴とする請求項１または２に記載の伴奏情報設定装置。
【請求項４】
供給された演奏曲データに伴奏スタイル情報が付加されている場合に、該伴奏スタイル情報を抽出する抽出ステップと、
該抽出ステップによって抽出された伴奏スタイル情報が示す伴奏スタイルデータを使用可能状態に設定する設定ステップと、
選択指示手段を用いて選択指示された伴奏スタイル情報を選択する選択ステップと
を有する伴奏情報設定方法をコンピュータに実行させるためのプログラムであって、
前記設定ステップによって使用可能状態に設定された伴奏スタイルデータの状態は、前記選択ステップによって、該伴奏スタイルデータと異なる伴奏スタイルデータの伴奏スタイル情報が選択されるまで保持される
ことを特徴とするプログラム。
【請求項５】
供給された演奏曲データを再生する再生モードと、演奏曲データを作成する曲作成モードとを切り替える切替ステップと、
該切替ステップによって再生モードに切り替えられ、前記供給された演奏曲データに伴奏スタイル情報が付加されている場合に、該伴奏スタイル情報を抽出する抽出ステップと、
前記切替ステップによって、再生モードから曲作成モードに切り替えられたときに、再生モード時に前記抽出ステップによって抽出された伴奏スタイル情報が示す伴奏スタイルデータを使用可能状態に設定する設定ステップと
を有する伴奏情報設定方法をコンピュータに実行させるためのプログラム。
【発明の詳細な説明】
【技術分野】
【０００１】
本発明は、演奏曲データに付加可能な伴奏スタイル情報が示す伴奏スタイルデータを設定する伴奏情報設定装置および伴奏情報設定方法を実現するためのプログラムに関する。
【背景技術】
【０００２】
演奏曲データに付加可能な伴奏スタイル情報が示す伴奏スタイルデータを設定する伴奏情報設定装置は、従来から知られている。
【０００３】
このような伴奏情報設定装置として、一覧表示された演奏曲名を選択することにより、当該演奏曲に合う伴奏スタイルデータなどを装置上に設定するようにしたものがある（たとえば、特許文献１参照）。
【特許文献１】特開２００２−２４４６８０号公報
【発明の開示】
【発明が解決しようとする課題】
【０００４】
しかし、上記従来の伴奏情報設定装置では、伴奏スタイルデータは演奏曲名を指定することによって間接的に設定され、設定された伴奏スタイルデータに関する情報は装置上に残らないので、このようにして設定された伴奏スタイルデータと同じ伴奏スタイルデータを使って、他の曲を演奏または録音したい場合には、ユーザは、記憶された数多くの伴奏スタイルデータを１つずつ順次試聴して、目的の伴奏スタイルデータを探し出さなければならず、非常に面倒であった。
【０００５】
本発明は、この点に着目してなされたものであり、演奏曲データに付加された伴奏スタイル情報が示す伴奏スタイルデータを別の曲に簡単に使用することが可能となる伴奏情報設定装置および伴奏情報設定方法を実現するためのプログラムを提供することを目的とする。
【課題を解決するための手段】
【０００６】
上記目的を達成するため、請求項１に記載の伴奏情報設定装置は、供給された演奏曲データに伴奏スタイル情報が付加されている場合に、該伴奏スタイル情報を抽出する抽出手段と、該抽出手段によって抽出された伴奏スタイル情報が示す伴奏スタイルデータを使用可能状態に設定する設定手段と、伴奏スタイル情報を選択する選択手段とを有し、前記設定手段によって使用可能状態に設定された伴奏スタイルデータの状態は、前記選択手段によって、該伴奏スタイルデータと異なる伴奏スタイルデータの伴奏スタイル情報が選択されるまで保持されることを特徴とする。
【０００７】
また、上記目的を達成するため、請求項２に記載の伴奏情報設定装置は、供給された演奏曲データを再生する再生モードと、演奏曲データを作成する曲作成モードとを切り替える切替手段と、該切替手段によって再生モードに切り替えられ、前記供給された演奏曲データに伴奏スタイル情報が付加されている場合に、該伴奏スタイル情報を抽出する抽出手段と、前記切替手段によって、再生モードから曲作成モードに切り替えられたときに、再生モード時に前記抽出手段によって抽出された伴奏スタイル情報が示す伴奏スタイルデータを使用可能状態に設定する設定手段とを有することを特徴とする。
【０００８】
好ましくは、前記抽出手段によって抽出された伴奏スタイル情報が示す伴奏スタイルデータが当該伴奏情報設定装置で使用可能かどうかを判別する判別手段と、該判別手段によって、前記伴奏スタイルデータが使用不可能と判別されたときに、該伴奏スタイルデータに代替可能な伴奏スタイルデータであって、当該伴奏情報設定装置で使用可能な伴奏スタイルデータを示す代替伴奏スタイル情報を検出する検出手段とをさらに有し、前記設定手段は、前記検出手段によって検出された代替伴奏スタイル情報が示す伴奏スタイルデータを使用可能状態に設定することを特徴とする。
【０００９】
上記目的を達成するため、請求項４に記載のプログラムは、請求項１と同様の技術的思想によって実現できる。
【００１０】
また、上記目的を達成するため、請求項５に記載のプログラムは、請求項２と同様の技術的思想によって実現できる。
【発明の効果】
【００１１】
請求項１または４に記載の発明によれば、使用可能状態に設定された伴奏スタイルデータの状態は、該伴奏スタイルデータと異なる伴奏スタイルデータの伴奏スタイル情報が選択されるまで保持されるので、使用可能状態に設定された伴奏スタイルデータを、該伴奏スタイルデータに対応する伴奏スタイル情報が付加された演奏曲データと異なった演奏曲データに簡単に使用することができる。
【００１２】
請求項２または５に記載の発明によれば、再生モードから曲作成モードに切り替えられたときに、再生モード時に抽出された伴奏スタイル情報が示す伴奏スタイルデータを使用可能状態に設定するようにしたので、再生した演奏曲データに付加された伴奏スタイル情報が示す伴奏スタイルデータを、曲作成モード時に作成する演奏曲データに簡単に使用することができる。
【００１３】
請求項３に記載の発明によれば、抽出された伴奏スタイル情報が示す伴奏スタイルデータが当該伴奏情報設定装置で使用不可能と判別されたときには、該伴奏スタイルデータに代替可能な伴奏スタイルデータであって、当該伴奏情報設定装置で使用可能な伴奏スタイルデータを示す代替伴奏スタイル情報を検出し、該検出された代替伴奏スタイル情報が示す伴奏スタイルデータを使用可能状態に設定するようにしたので、抽出された伴奏スタイル情報が示す伴奏スタイルデータが当該伴奏情報設定装置で使用不可能であっても、代替伴奏スタイル情報が示す伴奏スタイルデータを、他の演奏曲データに簡単に使用することができる。
【発明を実施するための最良の形態】
【００１４】
以下、本発明の実施の形態を図面に基づいて詳細に説明する。
【００１５】
図１は、本発明の一実施の形態に係る伴奏情報設定装置の概略構成を示すブロック図である。
【００１６】
同図に示すように、本実施の形態の伴奏情報設定装置は、文字入力用キーボード、マウス等のポインティングデバイスおよび各種スイッチ等の複数の操作子からなる操作子群１と、該操作子群１の各操作子の操作状態を検出する検出回路２と、装置全体の制御を司るＣＰＵ３と、該ＣＰＵ３が実行する制御プログラムや各種テーブルデータ等を記憶するＲＯＭ４と、演奏曲データ、伴奏スタイルデータ、各種入力情報および演算結果等を一時的に記憶するＲＡＭ５と、前記制御プログラムを含む各種アプリケーションプログラム、各種演奏曲データ、各種伴奏スタイルデータ、各種データ等を記憶する外部記憶装置６と、各種情報等を表示する、たとえば液晶ディスプレイ（ＬＣＤ）および発光ダイオード（ＬＥＤ）等を備えた表示装置７と、外部ＭＩＤＩ（Musical Instrument Digital Interface）機器等の外部制御機器１００を接続し、この外部制御機器１００とデータの送受信を行う通信インターフェース（Ｉ／Ｆ）８と、上記記憶された演奏曲データおよび伴奏スタイルデータ等に基づいて生成された楽音データを楽音信号に変換する音源回路９と、該音源回路９からの楽音信号に各種効果を付与するための効果回路１０と、該効果回路１０からの楽音信号を音響に変換する、たとえば、ＤＡＣ（Digital-to-Analog Converter）やアンプ、スピーカ等のサウンドシステム１１とにより構成されている。
【００１７】
上記構成要素２〜１０は、バス１２を介して相互に接続され、通信Ｉ／Ｆ８には外部制御機器１００が接続され、音源回路９には効果回路１０が接続され、効果回路１０にはサウンドシステム１１が接続されている。
【００１８】
外部記憶装置６としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置６には、前述のように、ＣＰＵ３が実行する制御プログラムも記憶でき、ＲＯＭ４に制御プログラムが記憶されていない場合には、この外部記憶装置６に制御プログラムを記憶させておき、それをＲＡＭ５に読み込むことにより、ＲＯＭ４に制御プログラムを記憶している場合と同様の動作をＣＰＵ３にさせることができる。このようにすると、制御プログラムの追加やバージョンアップ等が容易に行える。
【００１９】
通信Ｉ／Ｆ８には、図示例では、外部制御機器１００が接続されているが、これに限られず、たとえばＬＡＮ（Local Area Network）やインターネット、電話回線等の通信ネットワークを介して、サーバコンピュータが接続されるようにしてもよい。この場合、外部記憶装置６に上記各プログラムや各種パラメータが記憶されていなければ、通信Ｉ／Ｆ８は、サーバコンピュータからプログラムやパラメータをダウンロードするために用いられる。クライアントとなるコンピュータ（本実施の形態では、伴奏情報設定装置）は、通信Ｉ／Ｆ８および通信ネットワークを介してサーバコンピュータへとプログラムやパラメータのダウンロードを要求するコマンドを送信する。サーバコンピュータは、このコマンドを受け、要求されたプログラムやパラメータを、通信ネットワークを介してコンピュータへと配信し、コンピュータが通信Ｉ／Ｆ８を介して、これらプログラムやパラメータを受信して外部記憶装置６に蓄積することにより、ダウンロードが完了する。
【００２０】
なお、本実施の形態の伴奏情報設定装置は、上述の構成から分かるように、汎用的なパーソナルコンピュータ上に構築されたものであるが、これに限らず、本発明を実施できる最小限要素のみから構成した専用装置上に構築してもよい。
【００２１】
以上のように構成された伴奏情報設定装置が実行する制御処理を、図２を参照して詳細に説明する。
【００２２】
図２は、本実施の形態の伴奏情報設定装置、特にＣＰＵ３が実行する伴奏スタイル設定処理の手順を示すフローチャートであり、この伴奏スタイル設定処理は、主として、次の処理によって構成されている。すなわち、
（１）再生モード時処理
（２）曲作成モード時処理
（３）再生モードから曲作成モードへの切替時処理
である。そして、伴奏スタイル設定処理は、これを終了させる操作があるまで繰り返しなされる（ステップＳ１）。
【００２３】
以下、（１）〜（３）の処理を順に説明する。
【００２４】
上記（１）再生モード時処理は、図２のステップＳ５〜Ｓ１３に対応し、（ａ）演奏曲データの読み込み処理（ステップＳ６）および（ｂ）再生指示時処理（ステップＳ８〜Ｓ１３）によって構成されている。
【００２５】
ユーザが、たとえば前記操作子群１中に設けられた再生モードスイッチ（図示せず）を押して、再生モードに入ると、前記外部記憶装置６に記憶されている複数の演奏曲データの名称が前記表示装置７上に一覧表示される（ステップＳ４→Ｓ５）。その一覧表示された曲名称から、ユーザが前記ポインティングデバイスを用いていずれかを選択すると、上記（ａ）演奏曲データの読み込み処理に移行し（ステップＳ５→Ｓ６）、選択された曲名称に対応する演奏曲データを外部記憶装置６から読み出し、前記ＲＡＭ５に確保された演奏曲データ格納領域に格納する。
【００２６】
次に、ユーザが、たとえば操作子群１中に設けられた再生スイッチ（図示せず）を押して、選択された演奏曲データの再生を指示すると、上記（ｂ）再生指示時処理に移行し（ステップＳ７→Ｓ８）、まず、現在使用可能状態の伴奏スタイルデータを使用不可能状態にする。
【００２７】
ここで、伴奏スタイルデータは、伴奏音を生成するためのデータであり、たとえば、音色情報と演奏データ（イベントデータと、その生成タイミングを示すタイミングデータとを一組とする複数組のシーケンス）によって構成されている。一方、演奏曲データは、本実施の形態では、メロディラインを生成するためのデータであり、伴奏スタイルデータと同様のデータフォーマットによって構成されている。演奏曲データは、もちろん単独で再生することもできるが、演奏曲データに伴奏スタイルデータを特定する情報、たとえばＩＤ（以下、「伴奏スタイルＩＤ」という）を付加しておき、演奏曲データと、伴奏スタイルＩＤによって示される伴奏スタイルデータとを一緒に再生することにより、メロディラインに伴奏を付けることができるようになっている。
【００２８】
また、伴奏スタイルデータを使用可能状態に設定するということは、伴奏スタイルデータを演奏曲データと一緒に再生可能な状態に設定すること、具体的には、伴奏スタイルデータを前記外部記憶装置６から読み出して、前記ＲＡＭ５に確保された伴奏スタイルデータ格納領域に格納することを意味する。
【００２９】
さらに、使用可能状態の伴奏スタイルデータがどれであるかをユーザに知らせるために、使用可能状態の伴奏スタイルデータの名称を表示装置７上に表示するようにしたり、伴奏スタイル毎に設けられたランプのうち、使用可能状態の伴奏スタイルデータに対応するものを点灯したりする方が好ましい。
【００３０】
次に、選択された演奏曲データに伴奏スタイルＩＤが付加されているかどうかを判別し、付加されているときには、その伴奏スタイルＩＤを抽出する（ステップＳ９→Ｓ１０）。
【００３１】
そして、抽出された伴奏スタイルＩＤの示す伴奏スタイルデータが、本実施の形態の伴奏情報設定装置で使用可能であるか否かを判別する（ステップＳ１１）。伴奏スタイルデータは、通常、当該装置に予め記憶されている伴奏スタイルデータを読み出して使用するが、あらゆる伴奏スタイルデータを装置内に記憶することはできないので、伴奏スタイルＩＤとして、当該装置に記憶されていない伴奏スタイルデータを示すものが演奏曲データに付加されることがあり得る。上記ステップＳ１１の判別処理は、このような場合を想定して設けられたものである。なお、この判別方法としては、たとえば、外部記憶装置６に記憶されている伴奏スタイルデータの伴奏スタイルＩＤをテーブルデータ形式で持っておき、このテーブルデータ中に、抽出された伴奏スタイルＩＤがあるかどうかによって判別する方法が考えられる。
【００３２】
ステップＳ１１で、当該伴奏スタイルデータが使用不可能と判別されたときには、伴奏スタイルＩＤに基づいて、代替可能な伴奏スタイルデータの伴奏スタイルＩＤ′を検出し、この伴奏スタイルＩＤ′によって示される伴奏スタイルデータを外部記憶装置６から読み出して、前記ＲＡＭ５に確保された伴奏スタイルデータ格納領域に格納する、すなわち該伴奏スタイルデータを使用可能状態にする。この伴奏スタイルＩＤ′の検出方法としては、たとえば、伴奏スタイルＩＤと、それに代替可能な伴奏スタイルＩＤ′とを対応付けるテーブルデータを記憶するようにし、このテーブルデータを用いて、抽出された伴奏スタイルＩＤに代替可能な伴奏スタイルＩＤ′を検出する方法や、抽出された伴奏スタイルＩＤを演算して、伴奏スタイルＩＤ′を検出する方法等が考えられる。
【００３３】
一方、ステップＳ１１で、当該伴奏スタイルデータが使用可能と判別されたときには、この伴奏スタイルＩＤによって示される伴奏スタイルデータを外部記憶装置６から読み出して、前記伴奏スタイルデータ格納領域に格納する、すなわち該伴奏スタイルデータを使用可能状態にする。
【００３４】
前記（２）曲作成モード時処理は、図２のステップＳ１４〜Ｓ１７に対応する。ユーザが、たとえば操作子群１中に設けられた曲作成モードスイッチ（図示せず）を押して、曲作成モードに入ると、（２）曲作成モード時処理に移行する（ステップＳ４→Ｓ１４）。（２）曲作成モード時処理では、ユーザが伴奏スタイルを選択したときに、この選択した伴奏スタイルと異なった伴奏スタイルデータが現在使用可能状態であれば、現在使用可能状態の伴奏スタイルデータの使用を不可能状態にする（ステップＳ１４→Ｓ１５→Ｓ１６）とともに、選択した伴奏スタイルに対応する伴奏スタイルデータを使用可能状態にする（ステップＳ１７）。ここで、伴奏スタイルの選択方法としては、たとえば、操作子群１中に、伴奏スタイル毎に設けられた伴奏スタイルスイッチを押すことで、対応する伴奏スタイルを選択する方法や、表示装置７上に選択可能な伴奏スタイルの一覧を表示し、その中から前記ポインティングデバイスを用いていずれかを選択することで、対応する伴奏スタイルを選択する方法等が考えられる。また、曲作成の具体例としては、ＭＩＤＩ鍵盤を外部接続し、これを用いて、演奏曲データを一から作成したり、既に作成された演奏曲データを編集したりすることが考えられる。ユーザは、このようにして作成された演奏曲データに、好みの伴奏スタイルを選択して、使用（同時再生）することができるようになっている。なお、本発明は、曲作成の方法に特徴がある訳ではないので、曲作成の方法についての具体的な説明は省略する。
【００３５】
一方、ユーザが伴奏スタイルを選択しない場合には、何もせずに（２）曲作成モード時処理を終了して、ステップＳ１に戻る。この場合、現在使用可能状態に設定されている伴奏スタイルデータがあれば、それをそのまま作成した演奏曲データに使用することができる。逆に、現在使用可能状態に設定されている伴奏スタイルデータがなければ、伴奏スタイルデータは、作成した演奏曲データに使用されず、伴奏スタイルデータの使用されない単独の演奏曲データとなる。
【００３６】
また、ユーザが伴奏スタイルを選択したときに、現在使用可能状態に設定されている伴奏スタイルがなければ、選択された伴奏スタイルに対応する伴奏スタイルデータを使用可能状態に設定する（ステップＳ１４→Ｓ１５→Ｓ１７）。
【００３７】
前記（３）曲作成モードから再生モードへの切替時処理は、ステップＳ３に対応する。モードが曲作成モードから再生モードに切り替わると、（３）曲作成モードから再生モードへの切替時処理に移行し、モード切替直前に使用可能状態に設定されている伴奏スタイルがあれば、そのまま使用可能状態を保つようにする（ステップＳ２→Ｓ３）。
【００３８】
このように、再生モード時に使用可能状態であった伴奏スタイルデータを、曲作成モード時でも使用可能状態に設定するとともに、この設定状態を、新たな伴奏スタイルが選択されるまで保持するようにしたので、再生した演奏曲データに付加されている伴奏スタイル情報が示す伴奏スタイルデータを、作成した別の演奏曲データに使用することができる。
【００３９】
なお、伴奏スタイルデータを特定する情報は、本実施の形態では、ＩＤを採用したが、これに限られる訳ではなく、伴奏スタイルデータに名称（伴奏スタイル名）が付けられている場合には、伴奏スタイル名であってもよいし、伴奏スタイルデータがファイル形式で記憶され、記憶されたファイルに名称（伴奏スタイルファイル名）が付けられている場合には、伴奏スタイルファイル名であってもよい。要するに、伴奏スタイルデータを一意的に特定できる情報であれば、その情報の種類は問わない。
【００４０】
また、本実施の形態では、再生モードと曲作成モードの選択は、各モードに対応して設けられたモードスイッチを操作することによって行うようにしたが、これに限らず、前記表示装置７上に、再生モードと曲作成モードを選択可能なボタンやメニューを表示させ、前記ポインティングデバイスを用いて選択するようにしてもよい。
【００４１】
さらに、本実施の形態では、演奏曲データに付加された伴奏スタイル情報の抽出は、演奏曲データの再生が指示されたときに行うようにしたが、これに限らず、ユーザによって曲が選択され、その演奏曲データが前記演奏曲データ格納領域に格納されたときに、行うようにしてもよいし、前記操作子群１に、伴奏スタイル情報の抽出を指示するためのスイッチを設けておき、ユーザがこのスイッチを操作したときに、行うようにしてもよい。
【００４２】
なお、上述した実施の形態の機能を実現するソフトウェアのプログラムコードを記録した記憶媒体を、システムまたは装置に供給し、そのシステムまたは装置のコンピュータ（またはＣＰＵ３やＭＰＵ）が記憶媒体に格納されたプログラムコードを読出し実行することによっても、本発明の目的が達成されることは言うまでもない。
【００４３】
この場合、記憶媒体から読出されたプログラムコード自体が本発明の新規な機能を実現することになり、そのプログラムコードを記憶した記憶媒体は本発明を構成することになる。
【００４４】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００４５】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００４６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ３などが実際の処理の一部または全部を行い、その処理によって上述した実施の形態の機能が実現される場合も含まれることは言うまでもない。
【図面の簡単な説明】
【００４７】
【図１】本発明の一実施の形態に係る伴奏情報設定装置の概略構成を示すブロック図である。
【図２】図１の伴奏情報設定装置、特にＣＰＵが実行する伴奏スタイル設定処理の手順を示すフローチャートである。
【符号の説明】
【００４８】
１…操作子群（選択手段、切替手段），３…ＣＰＵ（抽出手段、設定手段、選択手段、切替手段、判別手段、検出手段）
【図１】
2005274589.tif 000003
【図２】
2005274589.tif 000004